(57)【要約】【課題】複雑な機能を有する表示装置を提供すること。【解決手段】それぞれが上面に画像を表示する表示部１２を有し前記上面が上下に移動可能であり前記上面の位置により情報が入力される複数の押釦１０と、前記複数の押釦１０の上面の上下の移動とは独立に、前記複数の押釦１０をそれぞれ上下に駆動させる駆動部２０と、を具備する表示装置。【選択図】図３
2012128658.tif 000002
【特許請求の範囲】
【請求項１】
それぞれが上面に画像を表示する表示部を有し前記上面が上下に移動可能であり前記上面の位置により情報が入力される複数の押釦と、
前記複数の押釦の上面の上下の移動とは独立に、前記複数の押釦をそれぞれ上下に駆動させる駆動部と、
を具備することを特徴とする表示装置。
【請求項２】
前記複数の押釦は横方向に配列され、前記複数の押釦の前記表示部により形成された表示パネルを具備することを特徴とする表示装置。
【請求項３】
前記複数の押釦のうち一部の押釦の上面が他の押釦より高くなるように前記駆動部を制御する制御部を具備することを特徴とする請求項１または２記載の表示装置。
【請求項４】
前記制御部は、前記一部の押釦のうち少なくとも一部の上面が押された場合、前記一部の押釦の上面の高さを調整するように、前記駆動部を制御することを特徴とする請求項３記載の表示装置。
【請求項５】
前記制御部は、前記一部の押釦のうち少なくとも一部の上面が押された場合、前記一部の押釦の上面の高さが揃うように、前記駆動部を制御することを特徴とする請求項３記載の表示装置。
【請求項６】
前記複数の押釦は横方向に配列され、前記複数の押釦の前記表示部により形成された表示パネルを具備し、
前記制御部は、前記一部の押釦の表示部に画像を表示することにより、前記表示パネルに前記画像からなるボタンアイコンを表示することを特徴とする請求項３から５のいずれか一項記載の表示装置。
【請求項７】
前記制御部は、前記一部の押釦のうち上面が最も低い押釦の上面に、前記一部の押釦の上面が揃うように前記駆動部を制御することを特徴とする請求項５記載の表示装置。
【請求項８】
前記一部の押釦は、複数に分離されていることを特徴とする請求項３から７の表示装置。
【発明の詳細な説明】
【技術分野】
【０００１】
本発明は表示装置に関し、例えば複数の押釦を有する表示装置に関する。
【背景技術】
【０００２】
表示装置は、コンピュータ端末、携帯電話、ゲーム機、自動発売機等に用いられる。近年では、タッチパネル等を用い、表示装置と入力装置とが一体化されている。特許文献１には、複数の押釦を配列し表示パネルを形成し、押下による押釦スイッチ機能を有するとともに、ボタンアイコン画像を表示パネルに表示する技術が記載されている。これにより、表示装置内の釦を押下することが容易になる。また、押下されたことを認識することができる。特許文献２には、押釦に表示機能を設けた技術が開示されている。
【先行技術文献】
【特許文献】
【０００３】
【特許文献１】特開２００１−２８２４３３号公報
【特許文献２】米国特許出願公開第２００８／０００１７８７号公報
【発明の概要】
【発明が解決しようとする課題】
【０００４】
しかしながら、特許文献１に記載の技術においては、個々の押釦を上下させる機構と、押釦を押下する機構が共通である。このため、表示装置に複雑な機能を持たせることができない。
【０００５】
本発明は、上記課題に鑑みなされたものであり、複雑な機能を有する表示装置を提供することを目的とする。
【課題を解決するための手段】
【０００６】
本発明は、それぞれが上面に画像を表示する表示部を有し前記上面が上下に移動可能であり前記上面の位置により情報が入力される複数の押釦と、前記複数の押釦の上面の上下の移動とは独立に、前記複数の押釦をそれぞれ上下に駆動させる駆動部と、を具備することを特徴とする表示装置である。本発明によれば、複雑な機能を有する表示装置を提供することができる。
【０００７】
上記構成において、前記複数の押釦は横方向に配列され、前記複数の押釦の前記表示部により形成された表示パネルを具備する構成とすることができる。
【０００８】
上記構成において、前記複数の押釦のうち一部の押釦の上面が他の押釦より高くなるように前記駆動部を制御する制御部を具備する構成とすることができる。
【０００９】
上記構成において、前記制御部は、前記一部の押釦のうち少なくとも一部の上面が押された場合、前記一部の押釦の上面の高さを調整するように、前記駆動部を制御する構成とすることができる。
【００１０】
上記構成において、前記制御部は、前記一部の押釦のうち少なくとも一部の上面が押された場合、前記一部の押釦の上面の高さが揃うように、前記駆動部を制御する構成とすることができる。
【００１１】
上記構成において、前記複数の押釦は横方向に配列され、前記複数の押釦の前記表示部により形成された表示パネルを具備し、前記制御部は、前記一部の押釦の表示部に画像を表示することにより、前記表示パネルに前記画像からなるボタンアイコンを表示する構成とすることができる。
【００１２】
上記構成において、前記制御部は、前記一部の押釦のうち上面が最も低い押釦の上面に、前記一部の押釦の上面が揃うように前記駆動部を制御する構成とすることができる。
【００１３】
上記構成において、前記一部の押釦は、複数に分離されている構成とすることができる。
【発明の効果】
【００１４】
本発明によれば、複雑な機能を有する表示装置を提供することができる。
【図面の簡単な説明】
【００１５】
【図１】図１（ａ）は、実施例１に係る表示装置の上面図、図１（ｂ）は、各押釦の上面図である。
【図２】図２（ａ）および図２（ｂ）は、実施例１の押釦の断面図である。
【図３】図３（ａ）から図３（ｄ）は、駆動部を取り付けた押釦の断面図である。
【図４】図４は、実施例１に係る表示装置のブロック図である。
【図５】図５は、実施例２に係る表示装置の制御部が行なう処理のフローチャートである。
【図６】図６は、表示パネルに表示された画像を示す図である。
【図７】図７は、図５のステップＳ１６における制御部の処理を示すフローチャートである。
【図８】図８は、領域４６内の押釦の動作を説明する断面図（その１）である。
【図９】図９は、領域４６内の押釦の動作を説明する断面図（その２）である。
【図１０】図１０は、領域４６内の押釦の動作を説明する断面図（その３）である。
【図１１】図１１は、実施例３における表示パネルに表示された画像の例である。
【発明を実施するための形態】
【００１６】
以下、本発明の実施例について図面を参照し説明する。
【実施例１】
【００１７】
図１（ａ）は、実施例１に係る表示装置の上面図、図１（ｂ）は、各押釦の上面図である。図１（ａ）のように、表示装置４２は、表示パネル４０を有している。表示パネル４０は横方向に配列した複数の押釦１０により構成される。複数の押釦１０は、直交する２方向に２次元的に配列されている。複数の押釦１０は、交差する２方向に配列されていてもよく、１次元的に配列されていてもよい。
【００１８】
図１（ｂ）のように、押釦１０は表示部１２を有している。表示部１２は、例えば有機ＥＬ（Electroluminescence）素子またはＬＣＤ（Liquid Crystal Display）素子である。表示部１２は、各押釦１０毎に異なる画像を表示することができる。図１（ｂ）の例では、各表示部１２は、「Ａ」、「Ｂ」、「Ｃ」を表示している。表示部１２が表示する画像は文字以外の画像でもよい。押釦１０は、例えば非特許文献２に記載されている押釦でもよい。
【００１９】
図２（ａ）および図２（ｂ）は、実施例１の押釦の断面図である。図２（ａ）は、押釦１０が押下されていない状態を示し、図２（ｂ）は、押釦１０が押下された状態を示している。図２（ａ）および図２（ｂ）のように、押釦１０は、配線が形成された基板１９上に、表示部１２が支柱１３で固定されている。表示部１２はキャップ１１とキャップ下部１６とにより形成される空間内に収納されている。キャップ１１の少なくとも上面は透明である。よって、表示部１２の上面に表示された画像は、上面から視認可能である。キャップ１１とキャップ下部１６とが一体となって摺動（上下に移動）した場合も、表示部１２は支柱１３により基板１９に固定されたままである。なお、表示部１２は、キャップ１１に固定されていてもよいが、この場合、表示部１２と基板１９とを接続する配線が動く。これにより、配線の断線が生じやすくなる。よって、表示部１２は基板１９に対し固定されていることが好ましい。
【００２０】
キャップ下部１６の凸部は、基板１９に固定された案内部１７の孔内に挿入されている。キャップ１１とキャップ下部１６とが摺動すると、案内部１７はキャップ下部１６の凸部を案内する。これにより、キャップ１１とキャップ下部１６は上下方向に移動可能となる。案内部１７内にはラバードーム１８が設けられている。ラバードーム１８の突起がキャップ下部１６の凸部と当接している。ラバードーム１８は押釦１０の上面を上方に付勢する弾性体である。図２（ｂ）の矢印ように、キャップ１１の上面が押されると、ラバードーム１８は変形し、キャップ１１とキャップ下部１６とが下がる。図２（ａ）のように、キャップ１１上面が解放されると、ラバードーム１８は、元の形状に戻るため、キャップ１１とキャップ下部１６とが上がる。
【００２１】
キャップ１１とキャップ下部１６の少なくとも一方には磁石１５が設けられている。基板１９には、ホールセンサ等の磁気センサ１４が設けられている。磁気センサ１４が磁界の強さを検出することにより、キャップ１１の位置を検出することができる。磁石１５と磁気センサ１４の位置は逆でもよい。磁気センサ１４の配線を短くするため、磁気センサ１４は基板１９に設けることが好ましい。なお、キャップ１１の位置の検出は、スイッチ等の他の手段を用いてもよい。実施例１のように、磁石１５と磁気センサ１４を用いることにより、押釦１０の上面（例えばキャップ１１の上面）の位置を２値化するだけでなく細かく検出することができる。
【００２２】
図３（ａ）から図３（ｄ）は、駆動部を取り付けた押釦の断面図である。なお、図３（ｂ）から図３（ｄ）において、図３（ａ）と同じ部材の符号を省略している。図３（ａ）から図３（ｄ）のように、押釦１０の下に駆動部２０が取り付けられている、駆動部２０は雌ネジ２１と雄ネジ２２とを有している。雌ネジ２１を基板１９に対し固定し、雄ネジ２２をモータ等を用い回転させることにより、押釦１０の高さを変えることができる。図３（ａ）は、駆動部２０が押釦１０の位置を高くし、かつ押釦１０が押下されていない状態を示す図である。図３（ｂ）は、駆動部２０が押釦１０の位置を高くし、かつ押釦１０が押下された状態を示す図である。図３（ｃ）は、駆動部２０が押釦１０の位置を低くし、かつ押釦１０が押下されていない状態を示す図である。図３（ｄ）は、駆動部２０が押釦１０の位置を低くし、かつ押釦１０が押下された状態を示す図である。駆動部２０は、押釦１０の高さを変えることができれば、他の機構を用いてもよい。
【００２３】
図４は、実施例１に係る表示装置のブロック図である。表示装置は、押釦１０、駆動部２０および制御部３０を備えている。押釦１０は、表示部１２と磁気センサ１４を備えている。押釦１０および駆動部２０は、図１（ａ）のように、複数設けられている。制御部３０は、例えばコンピュータまたはＣＰＵ（Central Processing Unit）である。制御部３０は、表示部１２に画像を表示する。また、制御部３０は、磁気センサ１４からの信号により、押釦１０の上面の位置を検出することができる。押釦１０の上面の位置に応じ、情報が入力される。また、駆動部２０に押釦１０を上下に移動させることができる。
【００２４】
実施例１によれば、複数の押釦１０のそれぞれが上面に画像を表示する表示部１２を有し、上面が上下に移動可能である。押釦１０の上面の位置により情報が入力される。駆動部２０は、複数の押釦１０の上面の上下の移動とは独立に、複数の押釦１０をそれぞれ上下に駆動させる。以上により、表示装置４２に以下の実施例２および３で示すような複雑な機能を持たせることができる。
【実施例２】
【００２５】
実施例２は、実施例１に係る表示装置の動作の例である。図５は、実施例２に係る表示装置の制御部が行なう処理のフローチャートである。図５のように、制御部３０は、表示パネル４０にボタンアイコン画像を表示する（ステップＳ１０）。図６は、表示パネル４０に表示された画像を示す図である。図６のように、表示パネル４０にボタンアイコン４４ａ〜４４ｃが表示されている。それぞれのボタンアイコン４４ａ〜４４ｃは、例えば３つの押釦１０からなる。ボタンアイコン４４ａ〜４４ｃは、２または４以上の押釦１０から構成されていてもよい。ボタンアイコン４４ａ〜４４ｃは、押釦１０の表示部１２に表示された画像から形成されている。
【００２６】
図５のように、制御部３０は、駆動部２０にボタンアイコン４４ａ〜４４ｃを構成する押釦１０の高さを他の押釦１０より高くさせる（ステップＳ１２）。制御部３０は、ボタンアイコン４４ａ〜４４ｃのいずれかが押下されたか判断する（ステップＳ１４）。例えば、ボタンアイコン４４ａを構成する押釦１０の少なくとも１つが押下された場合、ボタンアイコン４４ａが押下されたと判断する。例えば制御部３０は、押釦１０の上面の位置が所定位置より下がった場合、押釦１０が押下されたと判断することができる。
【００２７】
ステップＳ１４において、Ｎｏの場合、ステップＳ１４に戻る。ステップＳ１４において、Ｙｅｓの場合、制御部３０は、ボタンアイコン４４ａ内の押釦１０の上面の高さを調整する（ステップＳ１６）。ボタンアイコン４４ａの押下に対応した処理を行う（ステップＳ１８）。その後、終了し、ステップＳ１０に戻る。
【００２８】
図７は、図５のステップＳ１６における制御部の処理を示すフローチャートである。図７のように、制御部３０は、押下されたボタンアイコン４４ａ内の押釦１０をスキャンする（ステップＳ２０）。例えば、ラスタススキャンする。例えば、ボタンアイコン４４ａ内の各押釦１０の上面の位置を測定する。制御部３０は、ボタンアイコン４４ａ内の各押釦１０の上面の位置の補正値を計算する（ステップＳ２２）。例えば、ボタンアイコン４４ａ内の上面が最も低い押釦１０の位置からその他の押釦１０の上面の差を計算する。制御部３０は、駆動部２０にボタンアイコン４４ａ内の各押釦１０の高さを調整させる（ステップＳ２４）。例えば、制御部３０は、ボタンアイコン４４ａ内の押釦１０の上面の高さがステップＳ２２で測定した上面が最も低い位置に揃うように駆動部２０を制御する。
【００２９】
図８から図１０は、図６の領域４６内の押釦の動作を説明する断面図である。図８から図１０において、押釦１０ａから１０ｃがボタンアイコン４４ａを形成する押釦１０である。押釦１０ｄは、ボタンアイコン４４ａから４４ｃ以外の押釦１０である。また、押釦１０ｂから１０ｄにおいて、押釦１０ａと同じ部材の符号を省略している。
【００３０】
図８は、図５のステップＳ１２後の押釦１０ａから１０ｄを図示している。駆動部２０は、ボタンアイコン４４ａを構成する押釦１０ａから１０ｃを高くする。これにより、押釦１０ａから１０ｃの上面は、押釦１０ｄよりＨ１高くなる。図９は、図７のステップＳ２０後の押釦１０ａから１０ｄを図示している。ボタンアイコン４４ａを構成する押釦１０ａから１０ｃのうち、押釦１０ｃの上面が他の押釦１０ａおよび１０ｂよりＨ２低くなっている。図１０は、図７のステップＳ２４後の押釦１０ａから１０ｄを図示している。押釦１０ａおよび１０ｂの駆動部２０が駆動し、押釦１０ａおよび１０ｂの上面が押釦１０ｃの上面に揃うように押釦１０ａから１０ｃの高さが調整される。例えば、駆動部２０を用い、押釦１０ａおよび１０ｂの基板１９を押釦１０ｃよりＨ２低くする。なお、図８から図９においては、押釦１０ａから１０ｃのうち１つ押釦１０ｃが押下された場合の例を説明した。押釦１０ａから１０ｃのうち複数の押釦が押下されてもよい。
【００３１】
実施例２によれば、図５のステップＳ１２および図８のように、複数の押釦１０のうち一部の押釦（例えばボタンアイコン４４ａに対応する押釦）１０ａから１０ｃの上面が他の押釦１０ｄより高くなるように駆動部２０を制御する。これにより、表示パネル４０に高さの異なる画像を表示できる。例えば、ボタンアイコンの画像を他の画像より高くすることにより、ボタンアイコンをより強調することができる。また、ゲーム機等においては、より刺激的な画像を楽しむことができる。
【００３２】
また、制御部３０は、一部の押釦１０ａから１０ｃのうち少なくとも一部の押釦１０ａの上面が押された場合、一部の押釦１０ａから１０ｃの上面の高さを調整するように、駆動部２０を制御する。例えば、一部の押釦１０ａから１０ｃの上面の高さが揃うように、駆動部２０を制御する。これにより、ボタンアイコン４４ａを一体として連動して高さを揃えることができる。なお、一部の押釦１０ａから１０ｃの上面の高さが揃っていなくとも、例えば、中心の押釦の上面を周辺の押釦に対し高くする。または、中心の押釦の上面を周辺の押釦に対し低くする等することにより、ボタンアイコン等をより強調させるようにすることもできる。さらに、ゲーム機等においては、押釦をより刺激的な形状とすることができる。
【００３３】
さらに、図１０のように、制御部３０は、一部の押釦１０ａから１０ｃのうち上面が最も低い押釦１０ｃの上面に、一部の押釦１０ａから１０ｃの上面が揃うように駆動部２０を制御する。これにより、押釦１０ｃの駆動部２０は駆動させなくてもよく、より効率的である。
【実施例３】
【００３４】
実施例３は、実施例１に係る表示装置の動作の例である。図１１は、実施例３における表示パネルに表示された画像の例である。図１１のように、領域４８ｄ、４８ｅおよび４８ｆの押釦を連動して上面を調整する一部の押釦とする。このように、連動して駆動する一部の押釦は、隣接せず、複数に分離させることもできる。例えば、ゲーム機等においては、表示パネル４０上に複数の連動する押釦１０を設けることにより、より刺激的にゲームを楽しむことができる。特許文献１の方法を用いると、連動して駆動する押釦は分離させることができない。
【００３５】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００３６】
１０    押釦
１２    表示部
２０    駆動部
３０    制御部
４０    表示パネル
【図１】
2012128658.tif 000003
【図２】
2012128658.tif 000004
【図３】
2012128658.tif 000005
【図４】
2012128658.tif 000006
【図５】
2012128658.tif 000007
【図６】
2012128658.tif 000008
【図７】
2012128658.tif 000009
【図８】
2012128658.tif 000010
【図９】
2012128658.tif 000011
【図１０】
2012128658.tif 000012
【図１１】
2012128658.tif 000013